(57)【要約】【課題】内容液を霧状若しくは泡状に吐出するのを切り替える。【解決手段】ノズル筒部３２に前後方向にスライド移動可能に外装された造泡筒１０１を有するスライド部材１００が配設され、造泡筒に、その内側に外気を導入する外気導入部１０３が形成され、スライド部材は、造泡筒が吐出孔１３Ａの周囲を囲い、かつ外気導入部のうち、造泡筒の内周面に開口する部分の少なくとも一部が吐出孔より前方に位置する泡吐出位置と、外気導入部のうち、造泡筒の内周面に開口する部分の全体が吐出孔より後方に位置する霧吐出位置と、の間を前後方向にスライド移動可能に配設されている。【選択図】図１
2020050433.tif 000002
【特許請求の範囲】
【請求項１】
内容液が収容される容器本体の口部に、上方付勢状態で下方移動自在に配設されたステム、および前記ステムの上端部に装着され、吐出孔が形成された吐出ヘッドを有するポンプと、
前記ポンプを前記容器本体の口部に装着する装着キャップと、
前記装着キャップの後部に立設された支持部材と、
前記支持部材に回転軸回りに回転自在に配設され、前記吐出ヘッドに連係する押下部材と、を備え、
前記押下部材を前記回転軸回りに下方に向けて回転させ、前記吐出ヘッド、および前記ステムを下方移動させることにより、内容液が前記ステム内を通して前記吐出孔から霧状に吐出される吐出器であって、
前記吐出ヘッドは、前記ステムの上端部に装着された装着筒部と、前記装着筒部から前方に向けて突出し、前端に前方に向けて開口した前記吐出孔が形成されたノズル筒部と、を備え、
前記ノズル筒部に前後方向にスライド移動可能に外装された造泡筒を有するスライド部材が配設され、
前記造泡筒に、その内側に外気を導入する外気導入部が形成され、
前記スライド部材は、前記造泡筒が前記吐出孔の周囲を囲い、かつ前記外気導入部のうち、前記造泡筒の内周面に開口する部分の少なくとも一部が前記吐出孔より前方に位置する泡吐出位置と、前記外気導入部のうち、前記造泡筒の内周面に開口する部分の全体が前記吐出孔より後方に位置する霧吐出位置と、の間を前後方向にスライド移動可能に配設されている、吐出器。
【請求項２】
前記押下部材は、前記装着筒部の上方を前後方向に跨ぎ、かつ前記ノズル筒部および前記造泡筒が前後方向に貫く天板部と、前記天板部の左右両側の側端縁から下方に向けて突出する一対の側板部と、を備え、
前記スライド部材は、前記造泡筒を前記押下部材の外面とともに囲うガイド部を備え、
前記ガイド部の内面と、前記押下部材の外面と、の間に、前記スライド部材が前記泡吐出位置に位置したときに互いに係合する第１係合部、および前記スライド部材が前記霧吐出位置に位置したとき互いに係合する第２係合部が配設されている、請求項１に記載の吐出器。
【請求項３】
前記ガイド部は、上面視で前後方向に長い長方形状を呈する、請求項２に記載の吐出器。
【請求項４】
前記外気導入部は、前記造泡筒をその径方向に貫く貫通孔となっている、請求項１から３のいずれか１項に記載の吐出器。
【発明の詳細な説明】
【技術分野】
【０００１】
本発明は、吐出器に関するものである。
【背景技術】
【０００２】
従来から、例えば下記特許文献１に示されるような、内容液が収容される容器本体の口部に、上方付勢状態で下方移動自在に配設されたステム、およびステムの上端部に装着され、吐出孔が形成された吐出ヘッドを有するポンプと、ポンプを容器本体の口部に装着する装着キャップと、装着キャップの後部に立設された支持部材と、支持部材に回転軸回りに回転自在に配設され、吐出ヘッドに連係する押下部材と、を備え、押下部材を回転軸回りに下方に向けて回転させ、吐出ヘッド、およびステムを下方移動させることにより、内容液がステム内を通して吐出孔から霧状に吐出される吐出器が知られている。
【先行技術文献】
【特許文献】
【０００３】
【特許文献１】特開２０１７−２１４０８７号公報
【発明の概要】
【発明が解決しようとする課題】
【０００４】
しかしながら、前記吐出器では、内容液を霧状に吐出することはできるものの、泡状に吐出することができなかった。
【０００５】
本発明は、このような事情を考慮してなされたもので、内容液を霧状若しくは泡状に吐出するのを切り替えることができる吐出器を提供することを目的とする。
【課題を解決するための手段】
【０００６】
上記課題を解決して、このような目的を達成するために、本発明の吐出器は、内容液が収容される容器本体の口部に、上方付勢状態で下方移動自在に配設されたステム、および前記ステムの上端部に装着され、吐出孔が形成された吐出ヘッドを有するポンプと、前記ポンプを前記容器本体の口部に装着する装着キャップと、前記装着キャップの後部に立設された支持部材と、前記支持部材に回転軸回りに回転自在に配設され、前記吐出ヘッドに連係する押下部材と、を備え、前記押下部材を前記回転軸回りに下方に向けて回転させ、前記吐出ヘッド、および前記ステムを下方移動させることにより、内容液が前記ステム内を通して前記吐出孔から霧状に吐出される吐出器であって、前記吐出ヘッドは、前記ステムの上端部に装着された装着筒部と、前記装着筒部から前方に向けて突出し、前端に前方に向けて開口した前記吐出孔が形成されたノズル筒部と、を備え、前記ノズル筒部に前後方向にスライド移動可能に外装された造泡筒を有するスライド部材が配設され、前記造泡筒に、その内側に外気を導入する外気導入部が形成され、前記スライド部材は、前記造泡筒が前記吐出孔の周囲を囲い、かつ前記外気導入部のうち、前記造泡筒の内周面に開口する部分の少なくとも一部が前記吐出孔より前方に位置する泡吐出位置と、前記外気導入部のうち、前記造泡筒の内周面に開口する部分の全体が前記吐出孔より後方に位置する霧吐出位置と、の間を前後方向にスライド移動可能に配設されている。
【０００７】
この発明によれば、スライド部材が泡吐出位置に位置した状態で、外気導入部のうち、造泡筒の内周面に開口する部分の少なくとも一部が吐出孔より前方に位置するので、この状態で、押下部材を操作して、内容液を吐出孔から霧状に吐出し、吐出孔の周囲を囲う造泡筒の内側が負圧になったときに、外気導入部を通して造泡筒の内側に外気が導入される。これにより、霧状の内容液が、導入された外気と造泡筒内で混合されて造泡筒の内周面に衝突するなどして発泡し、泡状となって造泡筒から前方に吐出される。
スライド部材が霧吐出位置に位置した状態では、外気導入部のうち、造泡筒の内周面に開口する部分の全体が吐出孔より後方に位置するので、吐出孔から吐出された霧状の内容液は、前述のように外気と混合されることなく、霧状のまま前方に吐出される。
【０００８】
ここで、前記押下部材は、前記装着筒部の上方を前後方向に跨ぎ、かつ前記ノズル筒部および前記造泡筒が前後方向に貫く天板部と、前記天板部の左右両側の側端縁から下方に向けて突出する一対の側板部と、を備え、前記スライド部材は、前記造泡筒を前記押下部材の外面とともに囲うガイド部を備え、前記ガイド部の内面と、前記押下部材の外面と、の間に、前記スライド部材が前記泡吐出位置に位置したときに互いに係合する第１係合部、および前記スライド部材が前記霧吐出位置に位置したとき互いに係合する第２係合部が配設されてもよい。
【０００９】
この場合、ガイド部の内面と押下部材の外面との間に、第１係合部、および第２係合部が配設されているので、スライド部材を、泡吐出位置および霧吐出位置に容易に位置させることが可能になり、操作性を向上させることができる。
また、スライド部材がガイド部を備えるので、スライド部材を、泡吐出位置と霧吐出位置との間を前後方向にスライド移動させる際に、造泡筒ではなくガイド部を操作することが可能になり、この操作時に手に内容液が付着するのを抑制することができる。
また、第１係合部、および第２係合部が、ガイド部の内面と押下部材の外面との間に配設されているので、例えばノズル筒部の外周面とスライド部材との間に配設する場合などと比べて、構造の複雑化を抑えることができる。
【００１０】
また、前記ガイド部は、上面視で前後方向に長い長方形状を呈してもよい。
【００１１】
この場合、ガイド部が、上面視で前後方向に長い長方形状を呈するので、スライド部材を、泡吐出位置と霧吐出位置との間を前後方向にスライド移動させる際に、ガイド部を容易に把持することが可能になり、操作性を向上させることができる。
【００１２】
また、前記外気導入部は、前記造泡筒をその径方向に貫く貫通孔であってもよい。
【００１３】
この場合、外気導入部が、造泡筒をその径方向に貫く貫通孔となっているので、外気を造泡筒の内側に円滑に導入することが可能になり、泡質を安定させることができる。
【発明の効果】
【００１４】
本発明によれば、内容液を霧状若しくは泡状に吐出するのを切り替えることができる。
【図面の簡単な説明】
【００１５】
【図１】本発明に係る一実施形態として示した吐出器の縦断面図である。
【図２】図１に示す吐出器の要部を示す拡大側面図であって、スライド部材が霧吐出位置に位置した状態を示す図である。
【図３】図２に示す吐出器の上下方向に沿う縦断面図である。
【図４】図２に示す吐出器の上下方向に沿う縦断面図であって、押下部材を下降端位置まで押下げた状態を示す図である。
【図５】図２〜図４のＶ−Ｖ線矢視断面図である。
【図６】図１に示す吐出器の要部を示す拡大側面図であって、スライド部材が泡吐出位置に位置した状態を示す図である。
【図７】図６に示す吐出器の上下方向に沿う縦断面図である。
【図８】図６および図７のＶＩＩＩ−ＶＩＩＩ線矢視断面図である。
【発明を実施するための形態】
【００１６】
以下、本発明に係る吐出器の実施形態について、図１から図８を参照して説明する。
吐出器１は、内容液が収容される容器本体２の口部３に、上方付勢状態で下方移動自在に配設されたステム１２、およびステム１２の上端部に装着された吐出ヘッド１３を有するポンプ１０と、ポンプ１０を容器本体２の口部３に装着する装着キャップ１１と、装着キャップ１１の後部に立設された支持部材１５と、支持部材１５に回転軸Ｌ回りに回転自在に配設され、吐出ヘッド１３に連係する押下部材１６と、スライド部材１００と、正倒立両用アダプタ２００と、を備える。
【００１７】
吐出ヘッド１３は、ステム１２の上端部に装着された装着筒部３１と、装着筒部３１から突出し、その先端に吐出孔１３Ａが形成されたノズル筒部３２と、を備える。
ポンプ１０は、筒状のピストン４１と、ピストン４１が上下摺動自在に収容されたシリンダ４２と、ステム１２から下方に向けて延設され、ピストン４１の内側を上下方向に貫くピストンガイド４３と、を備える。ここで、装着キャップ１１、ステム１２、ピストン４１、シリンダ４２、およびピストンガイド４３は、それぞれの中心軸線が共通軸上に位置した状態で配設されている。
【００１８】
以下、この共通軸を中心軸線Ｏ１といい、中心軸線Ｏ１に沿う方向を上下方向という。また、上下方向から見た平面視において、中心軸線Ｏ１に交差する方向を径方向といい、中心軸線Ｏ１回りに周回する方向を周方向という。
また、ノズル筒部３２の中心軸線をノズル軸Ｏ２といい、ノズル軸Ｏ２に沿う方向をノズル軸方向という。ノズル軸方向から見て、ノズル軸Ｏ２に交差する方向をノズル径方向といい、ノズル軸Ｏ２回りに周回する方向をノズル周方向という。
さらに、平面視でノズル軸Ｏ２が延びる方向を前後方向といい、前後方向に沿ってノズル筒部３２の根元側を後方といい、ノズル筒部３２の先端側を前方という。上下方向および前後方向の双方に直交する方向を左右方向という。
【００１９】
図３に示すように、装着キャップ１１は、中央に開口部が形成された円環状の頂壁部１１ａと、頂壁部１１ａの外周縁から下方に向けて延びる円筒状の口部装着部１１ｂと、を有する。口部装着部１１ｂの内周面には、容器本体２の口部３における外周面に形成された雄ネジに螺合する雌ネジが形成されている。
【００２０】
ステム１２は、容器本体２の口部３に上方付勢状態で下方移動可能に立設されている。ステム１２の下部の内径および外径は、ステム１２の上部の内径および外径よりも大きい。ステム１２の上部と下部との間には、テーパ状の段筒部１２Ａが形成されている。
ステム１２とピストン４１との間には、ピストン４１に対するステム１２およびピストンガイド４３の下方移動に伴って、ピストン４１およびステム１２により上下方向の圧縮力が加えられる弾性片２５が配設されている。
【００２１】
弾性片２５は、表裏面が径方向を向き、上下方向に延びる板状に形成されている。弾性片２５は、ステム１２の下端開口縁に配設され、周方向に等間隔をあけて複数（本実施形態では６つ）配置されている。弾性片２５はステム１２と一体に形成されている。複数の弾性片２５は、互いに同等の形状かつ同等の大きさに形成されている。弾性片２５の径方向の大きさ（厚み）は、ステム１２の厚みよりも薄くなっている。なお、ステム１２および弾性片２５は、弾性片２５が一定の力が加えられたときに変形するような、ある程度剛性を有する材質、例えばポリプロピレン等で形成されている。
【００２２】
吐出ヘッド１３の装着筒部３１は、有頂筒状に形成され、ステム１２内に嵌合されている。装着筒部３１の上端部には、左右方向に突出する軸部１０Ａが形成されている。軸部１０Ａは、左右方向から見て円形状を呈している。装着筒部３１の上端部には、後方に向けて突出する被係止部１２０が形成されている。被係止部１２０には、ステム１２の下方移動を規制するストッパー１３０が係止可能とされている。
【００２３】
吐出ヘッド１３のノズル筒部３２は、装着筒部３１から前方に向けて突出し、前端に前方に向けて開口した吐出孔１３Ａが形成されている。吐出孔１３Ａは、ノズル軸Ｏ２と同軸に配設されている。ノズル筒部３２内には、前後方向に延在する芯棒体３５と、芯棒体３５の前端部に被着された有頂筒状のチップ３６と、が配設されている。
芯棒体３５の外周面には、前後方向に延びるとともに、ノズル筒部３２の内周面との間で内容液の流動を可能とする複数の流路溝部３５Ａが形成されている。チップ３６は、芯棒体３５と同軸上に配設されており、内側に芯棒体３５が嵌合された円筒状のチップ筒部３７と、チップ筒部３７の前端部に設けられた端壁部３８と、を有している。
【００２４】
チップ筒部３７は、ノズル筒部３２内に嵌合されている。端壁部３８は、芯棒体３５の前端面に当接している。端壁部３８のうち芯棒体３５の前端面に当接する後面には、芯棒体３５の流路溝部３５Ａに連通するスピン流路３８Ａが形成されている。端壁部３８の中央部分には、スピン流路３８Ａに連通する吐出孔１３Ａが前方に向けて開口している。吐出孔１３Ａの開口面積は、スピン流路３８Ａよりも上流側の流路溝部３５Ａにおける流路面積（ノズル軸方向と直交する断面積）よりも小さく、内容液を加圧して霧状に吐出できる。
【００２５】
ピストン４１は、シリンダ４２内に上下摺動可能に嵌合された外筒ピストン５１と、外筒ピストン５１における径方向の内側に配置され、ピストンガイド４３を径方向の外側から囲繞する内筒ピストン５２と、外筒ピストン５１と内筒ピストン５２とを連結する環状連結部５３と、を備えている。これら外筒ピストン５１、内筒ピストン５２、および環状連結部５３はそれぞれ、中心軸線Ｏ１と同軸に配設されている。図示の例では、外筒ピストン５１、内筒ピストン５２、および環状連結部５３は一体に形成されている。
【００２６】
シリンダ４２は、多段の円筒状に形成されている。シリンダ４２は、上下方向に延在する上筒部６２と、上筒部６２の下端部から下方に向けて延在し、上筒部６２よりも内径および外径が小さい下筒部６３と、下筒部６３の下端部から下方に向けて延在し、下筒部６３よりも内径および外径が小さい小径部６４と、上筒部６２の下端部と下筒部６３の上端部とを接続する環状の段部６５と、小径部６４から下方に向けて延びる接続筒部６９と、を備える。
【００２７】
段部６５の上面は、ピストン４１の外筒ピストン５１に上下方向で対向している。ピストン４１が下降端位置に位置したとき、外筒ピストン５１の下端部が段部６５の上面に当接する。段部６５の上面は、径方向外側に向かうに従って漸次下方に向かって延びている。下筒部６３の上端部の内周面は、下方に向かうに従って漸次縮径している。
【００２８】
上筒部６２の上部には、上筒部６２の内外を連通させる空気孔６２Ｂが形成されている。上筒部６２の上端部には、径方向の外側に向けて突出する円環状の支持板部６１が形成されている。支持板部６１の上面における外周部に、装着キャップ１１の頂壁部１１ａの下面が当接している。支持板部６１と容器本体２の口部３における上端開口縁との間に、第１パッキン６６が配設されている。装着キャップ１１の口部装着部１１ｂが、口部３に螺着されることにより、支持板部６１および第１パッキン６６が、装着キャップ１１の頂壁部１１ａと、口部３と、の間に固定される。これら支持板部６１、上筒部６２、下筒部６３、および小径部６４は、中心軸線Ｏ１と同軸に配設されている。
【００２９】
支持板部６１の上面には、上方に向けて延び、かつ装着キャップ１１の開口部に挿通された立設筒部６０が形成されている。立設筒部６０の外径および内径は、上筒部６２の外径および内径よりも大きくなっている。立設筒部６０の上端開口縁は、ステム１２の段筒部１２Ａと上下方向において同等の位置に位置している。
支持板部６１のうち、立設筒部６０より径方向の内側に位置する内周部の上面には、環状の第２パッキン５６が配設されている。
【００３０】
小径部６４は、下筒部６３の下端部から下方に向けて真っ直ぐ延びる直筒部６７と、直筒部６７の下端部から下方に向かうに従い漸次、内径および外径が小さくなるテーパ筒部６８と、を有している。テーパ筒部６８の内側には、弁体４４がテーパ筒部６８のテーパ面に離着可能に配設されている。
なお、弁体４４は、球状に形成された合成樹脂製のいわゆるボール弁とされている。弁体４４は、廃棄時における分別の手間を抑制する観点で合成樹脂製とすることが好ましい。また、弁体４４は、金属製等であってもよい。さらに、ボール弁に替わる種々の弁体を用いた逆止弁でもよい。
【００３１】
テーパ筒部６８の内周面には、径方向の外側から内側に向かうに従い漸次、上方に向けて延びる規制突部６８Ａが突設されている。規制突部６８Ａの上端の内径は、弁体４４の外径よりも小さくなっている。これにより、弁体４４が規制突部６８Ａから上方に離脱するのを規制している。なお、規制突部６８Ａには、周方向の延在を中断する間隙が形成されている。
【００３２】
ピストンガイド４３は、ステム１２から下方に向けて延びる周筒部４３Ｄおよび底壁部を備える有底筒状に形成されている。底壁部には、径方向の外側に向けて突出する円環状のフランジ部４３Ａが形成されている。
ピストンガイド４３における周筒部４３Ｄの下端部に、外径がフランジ部４３Ａの上面から上方に向かうに従い漸次、縮径した当接部４３Ｅが形成されている。この当接部４３Ｅに、ピストン４１の内筒ピストン５２の下端部が当接している。
【００３３】
ピストンガイド４３の周筒部４３Ｄには、ピストンガイド４３内とシリンダ４２内とを連通させる連通孔４３Ｂが形成されている。連通孔４３Ｂは、例えば中心軸線Ｏ１を径方向で挟む両側に配置されている。連通孔４３Ｂは、内筒ピストン５２が当接する当接部４３Ｅよりも上方に位置している。これにより、連通孔４３Ｂとシリンダ４２の上筒部６２内との連通が遮断されている。
【００３４】
ピストンガイド４３の周筒部４３Ｄには、ピストンガイド４３内とステム１２内とを連通する貫通孔４３Ｃが形成されている。貫通孔４３Ｃは、連通孔４３Ｂと同様に、例えば中心軸線Ｏ１を径方向に挟む両側に配置されている。貫通孔４３Ｃは、連通孔４３Ｂよりも上方に配置され、ステム１２の段筒部１２Ａにおける内周面に向けて開口している。連通孔４３Ｂおよび貫通孔４３Ｃがピストンガイド４３に形成されていることで、ピストンガイド４３とピストン４１との間、並びにピストンガイド４３とステム１２との間の空気が滞留するのを防ぐことができる。
ピストンガイド４３のうち貫通孔４３Ｃよりも上側に位置する部分は、ステム１２内に嵌合している。これにより、ピストンガイド４３は、ステム１２と共に一体に上下動する。
【００３５】
ピストンガイド４３の下端部には、下方に向けて突出し、コイルバネ９５が外装されるガイド突部４３Ｆが形成されている。ガイド突部４３Ｆは、表裏面が周方向を向く板体が中心軸線Ｏ１回りに複数配置されて構成されている。ガイド突部４３Ｆは、上方付勢状態で、シリンダ４２における上筒部６２の下部から下筒部６３の上部にわたって配設されている。
コイルバネ９５のうち、上端部はフランジ部４３Ａの下面に当接し、下端部はシリンダ４２における直筒部６７の上端開口縁に当接している。これにより、ピストンガイド４３はコイルバネ９５から上向きの付勢力を受けている。
【００３６】
支持部材１５は、シリンダ４２の立設筒部６０に外装された有頂筒状の囲繞筒部１５ａと、囲繞筒部１５ａの頂壁から上方に向けて延びるガイド筒１５ｃと、囲繞筒部１５ａから後方に向けて突設され、左右方向に間隔をあけて配設された一対の側壁部７７と、側壁部７７の後端縁同士を左右方向に接続する後壁部７８と、を有している。
【００３７】
囲繞筒部１５ａの頂壁は環状に形成され、この頂壁の内周縁部にガイド筒１５ｃが配置されている。ガイド筒１５ｃ内には、ステム１２が下方移動可能に挿通されている。囲繞筒部１５ａの頂壁の下面には、内側にステム１２が挿通された内側垂下筒部１５ｄと、内側垂下筒部１５ｄと囲繞筒部１５ａの周壁との間に配置された外側垂下筒部１５ｅと、が形成されている。ガイド筒１５ｃ、内側垂下筒部１５ｄ、および外側垂下筒部１５ｅは、中心軸線Ｏ１と同軸に配設されている。
【００３８】
囲繞筒部１５ａの周壁の下端部は、装着キャップ１１の頂壁部１１ａと隙間を介して上下方向に対向している。
外側垂下筒部１５ｅは、立設筒部６０内に嵌合されている。外側垂下筒部１５ｅの下端開口縁は、第２パッキン５６を介して、シリンダ４２における支持板部６１の内周部の上面に押し当てられている。
内側垂下筒部１５ｄは、ステム１２の下部に外装されている。内側垂下筒部１５ｄの下端開口縁は、第２パッキン５６を介して、ピストン４１の外筒ピストン５１の上端開口縁に押し当てられている。
【００３９】
側壁部７７は、前側から後側に向かうに従い漸次、上側に向けて延びている。側壁部７７の上端には、円柱状の軸体７７Ａが左右方向の外側に向けて突設されている。軸体７７Ａは、ステム１２より後方に配置されている。軸体７７Ａの中心を通り、かつ左右方向に延びる仮想の軸線が押下部材１６の揺動軸Ｌとなる。これにより、揺動軸Ｌは、ステム１２より後方に配置されるとともに左右方向に延びている。
後壁部７８の内面には、上方に向かって突出し、一対の側壁部７７の内面同士を左右方向に連結する補強壁７８ａが形成されている。
【００４０】
押下部材１６は、軸体７７Ａを介して支持部材１５に取り付けられている。これにより、押下部材１６は、支持部材１５に対して揺動軸Ｌ回りに揺動可能に連結されている。押下部材１６は、吐出ヘッド１３の装着筒部３１の上方を前後方向に跨ぎ、かつノズル筒部３２および後述する造泡筒１０１が前後方向に貫く天板部９０と、天板部９０の前端縁から下方に向けて延びる前板部９１と、天板部９０の左右両側の側端縁から下方に向けて突出し、左右方向に向かい合う一対の側板部９２と、を備える。
そして、天板部９０と一対の側板部９２とで囲まれる内部空間に吐出ヘッド１３が配置されている。よって、一対の側板部９２は、吐出ヘッド１３を左右方向に挟むように配置されている。
【００４１】
天板部９０は、上方に向けて膨らむように滑らかに湾曲した形状とされ、その後端部は支持部材１５における後壁部７８の上端部に上方から当接している。これにより、押下部材１６は、揺動軸Ｌを中心としたこれ以上の上方への揺動が規制されている。
天板部９０の前側部分には、天板部９０を貫通する第１貫通孔９３が形成されている。
この第１貫通孔９３は、天板部９０における左右方向の中央部分に形成されているとともに、前方に開口している。これにより、天板部９０の前側部分は、左右方向に二股に分かれた形状とされている。前板部９１は、二股に分かれた天板部９０の前端縁から前方に向かうに従い漸次、下方に向けて延在している。
【００４２】
第１貫通孔９３内には、吐出ヘッド１３のノズル筒部３２、および後述する造泡筒１０１が挿通されている。これにより、ノズル筒部３２は、第１貫通孔９３を通して天板部９０から前方に向けて突出しており、押下部材１６と吐出ヘッド１３との中心軸線Ｏ１回りにおける相対的な回転が規制されている。なお、前板部９１の下側部分は、指先を掛けるための指掛部分とされている。
【００４３】
押下部材１６の一対の側板部９２は、支持部材１５の一対の側壁部７７における上部を左右方向に挟んでいる。これにより、支持部材１５と押下部材１６との中心軸線Ｏ１回りにおける相対的な回転が規制されている。一対の側板部９２の後部側の内面には、軸体７７Ａが挿通される軸孔部９２Ａが形成されている。これにより、押下部材１６は、支持部材１５に軸体７７Ａ回り、すなわち揺動軸Ｌ回りに揺動可能に支持される。
【００４４】
押下部材１６には、吐出ヘッド１３の軸部１０Ａに係合する係合溝３１Ａが形成されている。係合溝３１Ａは、押下部材１６の一対の側板部９２から左右方向の内側に向けて張り出した板部の下端部に、下方に向けて開口する半円形状に形成されている。この係合溝３１Ａ内に軸部１０Ａが挿入されている。
以上の構成において、押下部材１６を揺動軸Ｌ回りに下方に揺動すると、係合溝３１Ａの内周面が軸部１０Ａの外周面を下方に向けて押し込むことにより、ステム１２およびピストンガイド４３が、コイルバネ９５の上方付勢力に抗して下降する。
【００４５】
ストッパー１３０は、押下部材１６の揺動軸Ｌに平行な軸体１３１回りに揺動可能に設けられ、吐出ヘッド１３の下方移動を規制する。ストッパー１３０は、吐出ヘッド１３の下方移動を規制する規制位置と、規制位置に対して軸体１３１回りに後方に揺動し、吐出ヘッド１３の下方移動を許容する規制解除位置と、の間を移動可能に配設されている。軸体１３１は、左右方向に延在する棒状に形成され、軸体１３１の左右方向の両端部は、一対の側壁部７７に形成された支持凹部８２に中心軸回りに回転自在に嵌め込まれている。支持凹部８２は、ステム１２よりも後方であって、揺動軸Ｌよりも前方に配置されている。
【００４６】
正倒立両用アダプタ２００は、シリンダ４２に連結され、吐出器１の正立時および倒立時の双方で、シリンダ４２内が負圧となったときに、内容液をシリンダ４２内に供給するように構成されている。
スライド部材１００は、造泡筒１０１とガイド部１０２とを備える。
【００４７】
造泡筒１０１は、ノズル筒部３２に前後方向にスライド移動可能に外装され、押下部材１６の天板部９０を前後方向に貫いて配設されている。造泡筒１０１は、ノズル軸Ｏ２と同軸に配設されている。造泡筒１０１のうち、前部の内径は、後部の内径より小さくなっている。造泡筒１０１の前部の内周面は、ノズル筒部３２の外周面に当接している。造泡筒１０１の後部の内周面と、ノズル筒部３２の外周面と、の間にノズル径方向の隙間が設けられている。
【００４８】
造泡筒１０１に、その内側に外気を導入する外気導入部１０３が形成されている。外気導入部１０３は、造泡筒１０１をノズル径方向に貫く貫通孔となっている。外気導入部１０３は、造泡筒１０１の前部に形成されている。外気導入部１０３は、造泡筒１０１の前部における前後方向の中央部に形成されている。外気導入部１０３は、造泡筒１０１にノズル周方向に間隔をあけて複数形成されている。複数の外気導入部１０３は、造泡筒１０１のうちノズル径方向で互いに対向する部分に各別に配置されている。外気導入部１０３は、造泡筒１０１における左右方向の両端部に各別に形成されている。外気導入部１０３は、ノズル径方向から見て、ノズル周方向に長い長方形状を呈する。外気導入部１０３、および吐出孔１３Ａそれぞれの上下方向の位置は互いに同等になっている。
【００４９】
スライド部材１００は、図６〜図８に示されるように、造泡筒１０１が吐出孔１３Ａの周囲を囲い、かつ外気導入部１０３のうち、造泡筒１０１の内周面に開口する部分の少なくとも一部が吐出孔１３Ａより前方に位置する泡吐出位置と、図２〜図５に示されるように、外気導入部１０３のうち、造泡筒１０１の内周面に開口する部分の全体が吐出孔１３Ａより後方に位置する霧吐出位置と、の間を前後方向にスライド移動可能に配設されている。泡吐出位置は、霧吐出位置より前方に位置している。
【００５０】
スライド部材１００の前後方向の位置を問わず常に、造泡筒１０１の前部内にノズル筒部３２が嵌合され、造泡筒１０１の前端開口が、吐出孔１３Ａより前方で、かつ前板部９１の下端部より後方に位置している。なお、スライド部材１００が霧吐出位置に位置したときに、造泡筒１０１の前端開口は、吐出孔１３Ａより後方に位置してもよい。
スライド部材１００が霧吐出位置に位置したときに、外気導入部１０３が、ノズル径方向の内側からノズル筒部３２の外周面に閉塞される。図示の例では、スライド部材１００が霧吐出位置に位置したときに、外気導入部１０３の全体が、吐出孔１３Ａより後方に位置する。スライド部材１００が泡吐出位置に位置したときに、外気導入部１０３の後端縁、およびノズル筒部３２の前端縁それぞれの前後方向の位置が互いに同等になっている。
【００５１】
ガイド部１０２は、造泡筒１０１のうち、外気導入部１０３より後方に位置する部分を、押下部材１６の外面とともに囲っている。ガイド部１０２は、上面視で前後方向に長い長方形状を呈する。ガイド部１０２は、下方および後方の双方向に開口した箱型に形成されている。
ガイド部１０２は、一対の側板部９２を左右方向の外側から覆う一対の横壁１０４と、一対の横壁１０４の前端同士を連結する前壁１０５と、造泡筒１０１のうち、外気導入部１０３より後方に位置する部分の上方に配設され、外周縁が一対の横壁１０４および前壁１０５の各上端に連結された上壁１０６と、を備える。
【００５２】
横壁１０４の下端縁、および造泡筒１０１の下端縁それぞれの上下方向の位置は互いに同等になっている。
前壁１０５の下端縁は、横壁１０４の下端縁より上方に位置している。造泡筒１０１は前壁１０５を前後方向に貫いている。前壁１０５の前面、および外気導入部１０３の後端縁それぞれの前後方向の位置は、互いに同等になっている。
上壁１０６は、上面視で前後方向に長い長方形状を呈する。上壁１０６の後端縁は、上面視で前方に向けて窪む曲線状を呈する。
【００５３】
上壁１０６および一対の横壁１０４それぞれの後端縁は、造泡筒１０１の後端縁より後方に位置している。造泡筒１０１の後端縁、およびガイド部１０２の前後方向の中央部それぞれの前後方向の位置は互いに同等になっている。上壁１０６および一対の横壁１０４の各外面には、ノズル径方向の内側に向けて窪む窪み部１０２Ａが、ノズル周方向の全長にわたって形成されている。窪み部１０２Ａは、上壁１０６および一対の横壁１０４それぞれにおける前端部と後端部との間に配設され、前後方向に延びている。
【００５４】
横壁１０４の内面に左右方向の内側に向けて突出する係合突起（第１係合部、第２係合部）１０４Ａが形成されている。係合突起１０４Ａは、横壁１０４における前後方向の中央部の下端部に配設されている。係合突起１０４Ａの後部は、後方に向かうに従い漸次、左右方向の突出量が小さくなっている。
ここで、押下部材１６の側板部９２の外面に、スライド部材１００が泡吐出位置に位置したときに、係合突起１０４Ａが係合する前係合凹部（第１係合部）１６Ａと、スライド部材１００が霧吐出位置に位置したときに、係合突起１０４Ａが係合する後係合凹部（第２係合部）１６Ｂと、が形成されている。前係合凹部１６Ａ、および後係合凹部１６Ｂは、前後方向に並べられて配設され、前係合凹部１６Ａは、後係合凹部１６Ｂより前方に位置している。側板部９２の前部の外面には、左右方向に窪み、かつ上方および前方に向けて開口する窪み部が形成されており、この窪み部に、前係合凹部１６Ａ、および後係合凹部１６Ｂが形成されている。
【００５５】
前係合凹部１６Ａおよび係合突起１０４Ａは、係合突起１０４Ａの、前係合凹部１６Ａからの前方への離脱を規制し、かつ係合突起１０４Ａの、前係合凹部１６Ａからの後方への離脱を許容するように構成されている。後係合凹部１６Ｂおよび係合突起１０４Ａは、係合突起１０４Ａの、後係合凹部１６Ｂからの後方への離脱を規制し、かつ係合突起１０４Ａの、後係合凹部１６Ｂからの前方への離脱を許容するように構成されている。
【００５６】
上記構成の吐出器１を使用する際には、まず、図２〜図４に示すストッパー１３０を規制位置から規制解除位置へと揺動させて、吐出ヘッド１３が下方移動可能な状態とする。次に、押下部材１６を回転軸Ｌ回りに下方に向けて回転させる。この際、例えば押下部材１６の前板部９１の指掛部分に指先を掛けながら、コイルバネ９５の付勢力に抗して押下部材１６を下方に向けて回転させる。押下部材１６を下方に向けて回転させると、吐出ヘッド１３が下方移動し、弁体４４によりシリンダ４２のテーパ筒部６８内を閉塞した状態で、ステム１２およびピストンガイド４３がシリンダ４２に対して押し下げられる。
【００５７】
ステム１２がピストンガイド４３とともに押し下げられると、ステム１２と環状連結部５３との間で、弾性片２５が弾性変形させられつつ、ステム１２およびピストンガイド４３が、ピストン４１に対して下方移動することで、ピストンガイド４３の当接部４３Ｅが、内筒ピストン５２から下方に離間し、シリンダ４２内とステム１２内とが連通し、シリンダ４２内の内容液が、ステム１２内を上昇しノズル筒部３２内に導入され、スピン流路３８Ａを通って吐出孔１３Ａから霧状に吐出される。
【００５８】
そして、スライド部材１００の係合突起１０４Ａを、押下部材１６の前係合凹部１６Ａに係合させて、スライド部材１００を泡吐出位置に位置させた状態で、押下部材１６を操作して、内容液を吐出孔１３Ａから霧状に吐出すると、吐出孔１３Ａの周囲を囲う造泡筒１０１の内側が負圧になり、吐出孔１３Ａより前方に位置する外気導入部１０３を通して、造泡筒１０１の内側に外気が導入される。これにより、霧状の内容液が、導入された外気と造泡筒１０１内で混合されて造泡筒１０１の内周面に衝突するなどして発泡し、泡状となって造泡筒１０１から前方に吐出される。
【００５９】
一方、スライド部材１００の係合突起１０４Ａを、押下部材１６の後係合凹部１６Ｂに係合させて、スライド部材１００を霧吐出位置に位置させた状態では、外気導入部１０３の全体が吐出孔１３Ａより後方に位置するので、吐出孔１３Ａから吐出された霧状の内容液は、前述のように外気と混合されることなく、霧状のまま前方に吐出される。
【００６０】
以上説明したように、本実施形態に係る吐出器１によれば、ノズル筒部３２に前後方向にスライド移動可能に外装された造泡筒１０１を有するスライド部材１００が配設されているので、内容液を霧状若しくは泡状に吐出するのを切り替えることができる。
【００６１】
また、ガイド部１０２の内面と押下部材１６の外面との間に、係合突起１０４Ａ、前係合凹部１６Ａ、および後係合凹部１６Ｂが配設されているので、スライド部材１００を、泡吐出位置および霧吐出位置に容易に位置させることが可能になり、操作性を向上させることができる。
また、スライド部材１００がガイド部１０２を備えるので、スライド部材１００を、泡吐出位置と霧吐出位置との間を前後方向にスライド移動させる際に、造泡筒１０１ではなくガイド部１０２を操作することが可能になり、この操作時に手に内容液が付着するのを抑制することができる。
また、係合突起１０４Ａ、前係合凹部１６Ａ、および後係合凹部１６Ｂが、ガイド部１０２の内面と押下部材１６の外面との間に配設されているので、例えばノズル筒部３２の外周面とスライド部材１００との間に配設する場合などと比べて、構造の複雑化を抑えることができる。
【００６２】
また、ガイド部１０２が、上面視で前後方向に長い長方形状を呈するので、スライド部材１００を、泡吐出位置と霧吐出位置との間を前後方向にスライド移動させる際に、ガイド部１０２を容易に把持することが可能になり、操作性を向上させることができる。
また、外気導入部１０３が、造泡筒１０１をノズル径方向に貫く貫通孔となっているので、外気を造泡筒１０１の内側に円滑に導入することが可能になり、泡質を安定させることができる。
【００６３】
本発明は上記した実施の形態に限定されるものではなく、その趣旨を逸脱しない範囲で適宜変更可能である。
【００６４】
例えば  前記実施形態では、正倒立両用アダプタ２００を備える構成を示したが、正倒立両用アダプタ２００を設けなくてもよい。
また、スライド部材１００は、ガイド部１０２を有しなくてもよい。
また、係合突起１０４Ａは、スライド部材１００における横壁１０４以外の他の部分に配設してもよいし、押下部材１６に配設してもよく、前係合凹部１６Ａ、および後係合凹部１６Ｂは、押下部材１６における側板部９２以外の他の部分に配設してもよいし、ガイド部１０２に配設してもよい。すなわち、スライド部材１００が泡吐出位置に位置したときに互いに係合する第１係合部、およびスライド部材１００が霧吐出位置に位置したとき互いに係合する第２係合部の各構成は、前記実施形態に限らず適宜変更してもよい。
また、スライド部材１００が泡吐出位置に位置したときに、外気導入部１０３のうち、一部を吐出孔１３Ａより前方に位置させ、残りを吐出孔１３Ａより後方に位置させてもよい。
【００６５】
また、前記実施形態では、外気導入部１０３として、造泡筒１０１をノズル径方向に貫く貫通孔を示したが、内容液を吐出孔１３Ａから霧状に吐出したときに、造泡筒１０１の内側に外気が導入可能な構成であれば、例えばノズル径方向に非貫通の溝を採用するなど適宜変更してもよい。このような溝として、例えば、造泡筒１０１の内周面に形成され、造泡筒１０１の後端開口縁に開口した構成を採用してもよい。
この構成において、ガイド部１０２は、造泡筒１０１のうち、外気導入部より前方に位置する部分を囲ってもよい。
【００６６】
また、前記実施形態では、スライド部材１００が霧吐出位置に位置したときに、外気導入部１０３の全体が、吐出孔１３Ａより後方に位置する構成示したが、外気導入部のうち、造泡筒１０１の内周面に開口する部分に限った全体が吐出孔１３Ａより後方に位置し、他の部分は、吐出孔１３Ａより前方に位置してもよい。
このような外気導入部として、例えば、造泡筒１０１の内周面に形成された窪み部と、窪み部の内面および造泡筒１０１の外周面に開口する通路と、を備える構成を採用してもよい。
【００６７】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００６８】
１  吐出器
２  容器本体
３  口部
１０  ポンプ
１１  装着キャップ
１２  ステム
１３  吐出ヘッド
１３Ａ  吐出孔
１５  支持部材
１６  押下部材
１６Ａ  前係合凹部（第１係合部）
１６Ｂ  後係合凹部（第２係合部）
３１  装着筒部
３２  ノズル筒部
９０  天板部
９２  側板部
１００  スライド部材
１０１  造泡筒
１０２  ガイド部
１０３  外気導入部
１０４Ａ  係合突起（第１係合部、第２係合部）
Ｌ  回転軸
【図１】
2020050433.tif 000003
【図２】
2020050433.tif 000004
【図３】
2020050433.tif 000005
【図４】
2020050433.tif 000006
【図５】
2020050433.tif 000007
【図６】
2020050433.tif 000008
【図７】
2020050433.tif 000009
【図８】
2020050433.tif 000010